(57)【要約】【課題】被剖検体の発するホルムアルデヒドその他の有害な気体を大がかりな設備を整えることなく、ホルムアルデヒドの捕捉効率の経時変化のない溶解捕集型空気浄化装置を内蔵したランニングコストの小さい解剖台を提供する。【解決手段】天板上に載置した被剖検体が発するホルムアルデヒドを含む汚染空気を吸引・除去するための吸気口を備えた縁枠を有する作業台と、前記作業台を載置・支持する箱形の架台と、前記架台内に配設され、前記作業台縁枠の吸気口からホルムアルデヒドその他の有害な気体を含む汚染空気を吸引するための吸気用送風機と、前記吸気用送風機によって吸引された汚染空気に含まれたホルムアルデヒドその他の有害な気体を水に溶け込ませて捕集する溶解捕集型空気浄化装置とを備えた解剖台による。【選択図】  図１
2007244762.tif 000002
【特許請求の範囲】
【請求項１】
解剖台であって、
天板１１上に載置した被剖検体が発するホルムアルデヒドその他の有害な気体を含んだ汚染空気を吸引・除去するための吸気口１３を備えた縁枠１２を有する作業台１と、
前記作業台１を載置・支持する箱形の架台２と、
前記架台２内に配設され、前記作業台１の吸気口１３からホルムアルデヒドその他の有害な気体を含む汚染空気を吸引するための吸気用送風機６と、
前記送風機６によって吸引された空気に含まれたホルムアルデヒドその他の有害な気体を水に溶け込ませて捕集する１個又は複数個の空気浄化装置とを備えてなることを特徴とする解剖台。
【請求項２】
前記空気浄化装置が、ホルムアルデヒド、エタノール等の水溶性ガスを透過させる膜で形成された多数の細管３２が挿通された水槽３１と、前記水槽３１内の水を交換するための給水口３３及び排水口３４を備えてなり、前記多数の細管３２内にホルムアルデヒドその他の有害な気体を含む汚染空気を流入し、該細管３２の膜壁を介して前記有害な気体を水槽３１内の水に溶解・捕集させ、かつ水槽３１内の水を交換することによってホルムアルデヒドその他の有害な気体を捕集した水を水槽３１外に排出するともに新鮮な水を補給し、ホルムアルデヒドその他の有害な気体が除去された浄化空気を解剖室内に還流可能にした膜ユニット方式の溶解捕集型空気浄化装置３０であることを特徴とする請求項１に記載の解剖台。
【請求項３】
前記膜ユニット方式の溶解捕集型空気浄化装置３０の細管３２が、チューブラ膜で構成されてなることを特徴とする請求項２に記載の解剖台。
【請求項４】
前記空気浄化装置が、上下及び前後の面が網状の素材で、左右の面が板状の素材で構成された立方体又は直方体の容器４１と、該容器４１内に充填された気液接触用の充填材４２と、前記容器４１の上方に配設され前記容器４１の上面に水を霧状に噴射させる広角ノズル４５と、前記広角ノズル４５に給水するための給水管４４と、前記容器４１の下方に設けられた水受け４６と、水受け４６に蓄積された水を排出するための排水口４８を備えてなり、前記容器４１の前方からホルムアルデヒドその他の有害なガスを含む汚染空気を流入させるとともに、容器４１の上方に配設した広角ノズル４５から水を霧状に噴出させ、前記容器４１内に充填された気液接触用の充填材４２間の隙間で前記有害な気体を含む汚染空気と水とを接触させて前記有害な気体を水に溶解・捕集させ、前記有害な気体が捕集された水を容器４１の下方に設けた水受け４６で集めて解剖室外に排出し、ホルムアルデヒドその他の有害な気体が除去された浄化空気を解剖室内に還流可能にした水噴霧方式の溶解捕集型空気浄化装置４０であることを特徴とする請求項１に記載の解剖台。
【請求項５】
前記空気浄化装置が、下方が連通するようにして設けた水槽仕切り板５１ｃで曝気槽５１ａと排水槽５１ｂの大小２つの部分に分割され、かつ前記曝気槽５１ａの上面に給水口が、側面上部には浄化された浄化空気の送出口５４が、そして排水槽５１ｂの側面には排水口が備えられた有蓋水槽５１と、該曝気槽５１ａの底部に配設された散気装置５２とを備え、吸気用送風機６によって前記散気装置５２にホルムアルデヒドその他の有害な気体を含む汚染空気を流入し、前記散気装置５２の散気孔５２ａから曝気槽５１ａ内に泡として噴出させることによってホルムアルデヒドその他の有害な気体を曝気槽５１ａ内に注入される水に溶解・捕集させ、前記有害な気体が捕集された水を排水槽５１ｂから排水口５７に溢水させて解剖室外に排出し、ホルムアルデヒドその他の有害な気体が除去された浄化空気を解剖室内に還流可能にした曝気方式の空気浄化装置５０であることを特徴とする請求項１に記載の解剖台。
【請求項６】
前記吸気口１３が、前記作業台１の縁枠１２の内側に向かって開口された一つ又は複数のスリット１３’からなり、前記作業台１の縁枠１２が吸気口１３から吸引したホルムアルデヒドその他の有害な気体を含む汚染空気を前記空気浄化装置に導くダクトを形成してなることを特徴とする請求項１〜５のいずれか１項に記載の解剖台。
【請求項７】
前記吸気口１３が、前記作業台１の縁枠１２の内側に向かって開口された複数個の穴１３”からなり、前記作業台１の縁枠１２が吸気口１３から吸引したホルムアルデヒドその他の有害な気体を含む汚染空気を前記空気浄化装置に導くダクトを形成してなることを特徴とする請求項１〜５のいずれか１項に記載の解剖台。
【請求項８】
前記吸気口１３が、前記作業台１の縁枠１２の内側に向かって開口された一つ又は複数個のスリット１３’、及び内側に向かって開口された複数個の穴１３”からなり、前記作業台１の縁枠１２が吸気口１３から吸引したホルムアルデヒドその他の有害な気体を含む汚染空気を前記空気浄化装置に導くダクトを形成してなることを特徴とする請求項１〜５のいずれか１項に記載の解剖台。
【請求項９】
前記縁枠１２が、着脱可能に構成されてなることを特徴とする請求項１〜８のいずれか１項に記載の解剖台。
【請求項１０】
前記ホルムアルデヒドその他の有害な気体を含む汚染空気を前記空気浄化装置に導く前記縁枠１２の内側に形成されるダクトが、外壁、上壁及び上壁から解剖台の内側下方に向けて垂設された垂下壁から構成される前記縁枠１２の外壁と垂下壁との間に、前記天板１１の周辺部を上方に起立させて設けられた起立板１１ａを、前記縁枠１２の上壁面に到達せずかつ垂下壁の下端よりも高い位置まで立設されて形成されてなることを特徴とする請求項１〜９のいずれか１項に記載の解剖台。
【請求項１１】
前記天板１１の周辺部を上方に起立させて設けられた起立板１１ａの一部が、複数個所においてさらに上方に延伸され、前記縁枠１２の上壁の内側に当接して前記縁枠１２の上壁を支持する縁枠支持部としてなることを特徴とする請求項１〜１０のいずれか１項に記載の解剖台。
【請求項１２】
前記天板１１が、一方の短辺寄りの中央部分に汚水排出口１４を備え、かつ前記汚水排出口１４に向けて周囲から下り勾配となるように形成されてなり、前記汚水排出口１４に汚水排出パイプを接続することにより、天板１１上に滲出した体液や洗浄水などの汚水を汚水タンクに排出可能にしてなることを特徴とする請求項１〜１１のいずれか１項に記載の解剖台。
【請求項１３】
前記天板１１の汚水排出口１４に近い側の作業台１の短辺が前記架台２に軸着され、汚水排出口１４から遠い側の縁枠１２の短辺外側に固着された取っ手１５を持ち上げることによって前記作業台１が傾けられるように構成されてなることを特徴とする請求項１〜１２のいずれか１項に記載の解剖台。
【請求項１４】
前記作業台の底板１７の複数個所に前記天板１１に当接して天板１１を支持する天板支持体１８を立設し、また前記作業台１の縁枠１２から天板１１下へ流入するホルムアルデヒドその他の有害な気体を含む汚染空気を前記空気浄化装置に誘導するための通風口を備えてなることを特徴とする請求項１〜１３のいずれか１項に記載の解剖台。
【請求項１５】
前記作業台１の底板１７が、架台２の上面板２１より大きく、前記作業台１を架台２上に載置したとき前記作業台１の周辺部下部に剖検者の脚部の入るスペースを確保してなることを特徴とする請求項１〜１４のいずれか１項に記載の解剖台。
【請求項１６】
前記作業台の高さを剖検者の身長に合わせて調整可能にする高さ調整手段１９を備えてなることを特徴とする請求項１〜１５のいずれか１項に記載の解剖台。
【請求項１７】
前記高さ調整手段１９が作業台１との架台２との間隔の変化を伴うものであって、前記高さ調整手段１９の操作によって間隔が変化する作業台１と架台２間にフレキシブルダクト２２を備えてなることを特徴とする請求項１６に記載の解剖台。
【請求項１８】
前記架台２が、その底面に複数のキャスター２７を備え、移動可能にしてなることを特徴とする請求項１〜１７のいずれか１項に記載の解剖台。
【発明の詳細な説明】
【技術分野】
【０００１】
解剖台の天板上に載置された被剖検体から発するホルムアルデヒドその他の有害な気体による剖検者への健康被害を防止するための空気浄化装置を備えた解剖台に関する。
【背景技術】
【０００２】
大学医学部や歯学部の解剖実習においては、体内にホルマリンが注入された被剖検体又はホルマリンに浸漬された被剖検体から発生するホルムアルデヒドが剖検者（実習者）の健康を損ねるおそれがある。そこで従来から、解剖室内の空気を換気ダクトを介して送風機で屋外に排出し、また新鮮な外気を室内に導入して実験室内のホルムアルデヒドの濃度を低減する換気方式や、解剖室内にホルムアルデヒドを吸着、又は酸化分解する空気浄化装置を設置して室内のホルムアルデヒドを低減する浄化方式、あるいは上記換気方式と浄化方式を併用する併用方式などの安全対策が採られてきている。
また、これらの安全対策についてもいくつかの発明がなされている。
【特許文献１】特開２００３−３１９９４３号公報
【特許文献２】特開２００４−１８０９６１号公報
【特許文献３】特開２００１−６１９０９号公報
【発明の開示】
【発明が解決しようとする課題】
【０００３】
しかし、上記の解剖室内の空気を換気ダクトを介して送風機で屋外に排出し、また新鮮な外気を室内に導入してホルムアルデヒドの濃度を低減する換気方式では、
（ａ）解剖室のみを対象とした換気ダクトや送風機等の設備と、これら設備を設置するためのスペースとが必要となり、さらにこれら設備を設置するために大がかりな工事を行わねばならず、設備設置に多額の経費を要すること、
（ｂ）屋外から室内に新鮮空気を取り込むため、夏季には冷房、冬季には暖房が欠かせず、そのためのランニングコストがかかること、
（ｃ）室内空気の排出口が、被剖検体から離れて存在するので被剖検体直近の剖検者（実習者）がホルムアルデヒドに晒されるおそれが高いこと、
等の問題がある。
【０００４】
また、解剖室内に空気浄化装置を設置し、室内空気を循環させることでホルムアルデヒドを低減する浄化方式でも、活性炭を代表とする吸着剤でホルムアルデヒドを吸着する空気浄化装置を用いた場合には、
（ａ’）吸着剤に吸着し得るホルムアルデヒドの量には限度があるので、吸着が進むとホルムアルデヒドの除去効果が低下し、吸着が飽和量に達した場合には吸着剤を交換しなければならず、そのためにランニングコストがかかること、
（ｂ’）使用済みの吸着剤は産業廃棄物として処理されなければならないこと、
等の問題がある。
さらに、解剖実験室内に設置する空気浄化装置が触媒などを使用してホルムアルデヒドを酸化分解するものの場合にも、
（ａ”）ホルムアルデヒドを分解するには、触媒との長時間の接触が必要なため、発生するホルムアルデヒドを完全に分解するためには装置を大型にする必要があること、
（ｂ”）分解の途中でさらに有害な蟻酸が残存するおそれがあること、
等の問題がある。
【０００５】
したがって、本発明の課題は、上記背景技術の問題点に鑑み、被剖検体の発するホルムアルデヒドその他の有害な気体を大がかりな設備を整えることなく、解剖台に内蔵でき、かつホルムアルデヒドの捕捉効率の経時変化のない空気浄化装置を備えた、ランニングコストの小さい経済的な解剖台を提供することにある。
【課題を解決するための手段】
【０００６】
本発明者等は、上記課題を下記の手段により解決した。
（１）解剖台であって、
天板上に載置した被剖検体が発するホルムアルデヒドその他の有害な気体を含んだ汚染空気を吸引・除去するための吸気口を備えた縁枠を有する作業台と、
前記作業台を載置・支持する箱形の架台と、
前記架台内に配設され、前記作業台の吸気口からホルムアルデヒドその他の有害な気体を含む汚染空気を吸引するための吸気用送風機と、
前記送風機によって吸引された空気に含まれたホルムアルデヒドその他の有害な気体を水に溶け込ませて捕集する１個又は複数個の空気浄化装置とを備えてなることを特徴とする解剖台。
【０００７】
（２）前記空気浄化装置が、ホルムアルデヒド、エタノール等の水溶性ガスを透過させる膜で形成された多数の細管が挿通された水槽と、前記水槽内の水を交換するための給水口及び排水口を備えてなり、前記多数の細管内にホルムアルデヒドその他の有害な気体を含む汚染空気を流入し、該細管の膜壁を介して前記有害な気体を水槽内の水に溶解・捕集させ、かつ水槽内の水を交換することによってホルムアルデヒドその他の有害な気体を捕集した水を水槽外に排出するともに新鮮な水を補給し、ホルムアルデヒドその他の有害な気体が除去された浄化空気を解剖室内に還流可能にした膜ユニット方式の溶解捕集型空気浄化装置であることを特徴とする前項（１）に記載の解剖台。
【０００８】
（３）前記空気浄化装置の細管が、チューブラ膜で構成されていることを特徴とする前項（２）に記載の解剖台。
【０００９】
（４）前記空気浄化装置が、上下及び前後の面が網状の素材で、左右の面が板状の素材で構成された立方体又は直方体の容器と、該容器内に充填された気液接触用の充填材と、前記容器の上方に配設され前記容器の上面に水を霧状に噴射させる広角ノズルと、前記広角ノズルに給水するための給水口と、前記容器の下方に設けられた水受けと、水受けに蓄積された水を排出するための排水口を備えてなり、前記容器の前方からホルムアルデヒドその他の有害なガスを含む汚染空気を流入させるとともに、容器の上方に配設した広角ノズルから水を霧状に噴出させ、前記容器内に充填された気液接触用の充填材間の隙間で前記有害な気体を含む汚染空気と水とを接触させて前記有害な気体を水に溶解・捕集させ、前記有害な気体が捕集された水を容器下方に設けた水受けで集めて解剖室外に排出し、ホルムアルデヒドその他の有害な気体が除去された浄化空気を解剖室内に還流可能にした水噴霧方式の溶解捕集型空気浄化装置であることを特徴とする前項（１）に記載の解剖台。
【００１０】
（５）前記空気浄化装置が、下方が連通するようにして設けた水槽仕切り板で曝気槽と排水槽の大小２つの部分に分割され、かつ前記曝気槽には上面に水槽内に給水する給水口が、側面上部には浄化された浄化空気を放出する排出口が、そして排水槽の側面には排水口が備えられた有蓋水槽と、該曝気槽の底部に配設された散気装置とを備え、前記吸気用送風機によって前記散気装置にホルムアルデヒドその他の有害な気体を含む汚染空気を流入し、前記散気装置の散気孔から水槽内に泡として噴出させることによってホルムアルデヒドその他の有害な気体を曝気槽内に注入される水に溶解・捕集させ、前記有害な気体が捕集された水を排水槽から排水口に溢水させて解剖室外に排出し、ホルムアルデヒドその他の有害な気体が除去された浄化空気を解剖室内に還流可能にした曝気方式の溶解捕集型空気浄化装置であることを特徴とする前項（１）に記載の解剖台。
【００１１】
（６）前記吸気口が、前記作業台の縁枠の内側に向かって開口された一つ又は複数のスリットからなり、前記作業台の縁枠が吸気口から吸引したホルムアルデヒドその他の有害な気体を含む汚染空気を前記空気浄化装置に導くダクトを形成してなることを特徴とする前項（１）〜（５）のいずれか１項に記載の解剖台。
【００１２】
（７）前記吸気口が、前記作業台の縁枠の内側に向かって開口された複数個の穴からなり、前記作業台の縁枠が吸気口から吸引したホルムアルデヒドその他の有害な気体を含む汚染空気を前記空気浄化装置に導くダクトを形成してなることを特徴とする前項（１）〜（５）のいずれか１項に記載の解剖台。
【００１３】
（８）前記吸気口が、前記作業台の縁枠の内側に向かって開口された一つ又は複数個のスリット、及び内側に向かって開口された複数個の穴からなり、前記作業台の縁枠が吸気口から吸引したホルムアルデヒドその他の有害な気体を含む汚染空気を前記空気浄化装置に導くダクトを形成してなることを特徴とする前項（１）〜（５）のいずれか１項に記載の解剖台。
【００１４】
（９）前記縁枠が、着脱可能に構成されてなることを特徴とする前項（１）〜（８）のいずれか１項に記載の解剖台。
【００１５】
（１０）前記ホルムアルデヒドその他の有害な気体を含む汚染空気を前記空気浄化装置に導く前記縁枠の内側に形成されるダクトが、外壁、上壁及び上壁から解剖台の内側下方に向けて垂設された垂下壁から構成される前記縁枠の外壁と垂下壁との間に、前記天板の周辺部を上方に起立させて設けられた起立板を、前記縁枠の上壁面に到達せずかつ垂下壁の下端よりも高い位置まで立設されて形成されてなることを特徴とする前項（１）〜（９）のいずれか１項に記載の解剖台。
【００１６】
（１１）前記天板の周辺部を上方に起立させて設けられた起立板の一部が、複数個所においてさらに上方に延伸され、前記縁枠の上壁の内側に当接して前記縁枠の上壁を支持する縁枠支持部としてなることを特徴とする前項（１）〜（１０）のいずれか１項に記載の解剖台。
【００１７】
（１２）前記天板が、一方の短辺寄りの中央部分に汚水排出口を備え、かつ前記汚水排出口に向けて周囲から下り勾配となるように形成されてなり、前記汚水排出口に汚水排出パイプを接続することにより、天板上に滲出した体液や洗浄水などの汚水を汚水タンクに排出可能にしてなることを特徴とする前項（１）〜（１１）のいずれか１項に記載の解剖台。
【００１８】
（１３）前記天板の排水口に近い側の作業台の縁枠の短辺が前記架台に軸着され、排水口から遠い側の縁枠短辺の外側に固着された取っ手を持ち上げることによって前記作業台が傾けられるように構成されてなることを特徴とする前項（１）〜（１２）のいずれか１項に記載の解剖台。
【００１９】
（１４）前記作業台の底板１７の複数個所に天板１１に当接して天板１１を支持する天板支持体１８を立設し、また前記作業台１の縁枠１２から天板１１下へ流入するホルムアルデヒドその他の有害な気体を含む汚染空気を前記空気浄化装置に誘導するための通風口を備えてなることを特徴とする前項（１）〜（１３）のいずれか１項に記載の解剖台。
【００２０】
（１５）前記作業台１の底板１７が、架台２の上面板２１より大きく、前記作業台１を架台２上に載置したとき前記作業台１の周辺部下部に剖検者の脚部の入るスペースを確保してなることを特徴とする前項（１）〜（１４）のいずれか１項に記載の解剖台。
【００２１】
（１６）前記作業台の高さを剖検者の身長に合わせて調整可能にする高さ調整手段１９と、高さ調整によってその長さが変化する作業台１と架台２間のホルムアルデヒドその他の有害な気体を含む汚染空気の誘導路にフレキシブルダクト２２を備えてなることを特徴とする前項（１）〜（１５）のいずれか１項に記載の解剖台。
【００２２】
（１７）前記高さ調整手段１９が作業台１との架台２との間隔の変化を伴うものであって、前記高さ調整手段の操作によって間隔が変化する作業台１と架台２間にフレキシブルダクト２２を備えてなることを特徴とする前項（１６）に記載の解剖台。
【００２３】
（１８）前記架台２が、その底面に複数のキャスター２７を備え、移動可能にしてなることを特徴とする前項（１）〜（１６）のいずれか１項に記載の解剖台。
【発明の効果】
【００２４】
本発明の解剖台により下記のような効果が発揮される。
（ア）請求項１の発明によれば、
被剖検体から発生するホルムアルデヒドその他の有害な気体を含む天板上の汚染空気を、被剖検体の側近に開口した作業台縁枠の吸気口から吸引するので、前記ホルムアルデヒドその他の有害な気体を含む汚染空気は解剖室内に拡散せず、剖検者（実習者）がホルムアルデヒドに晒されるおそれがなくなる。
（イ）したがって、解剖室内の空気を専用の換気ダクトと送風機によって屋外に排出し、屋外から新鮮な外気を大量に室内に導入するような大がかりな設備を設ける必要がなく、また大量の外気を導入することによって必要となる冷暖房設備も省けることから、設備設置経費及びランニングコストの低減が図れる。
ちなみに従来のこの種の解剖室においては、居室の数倍の換気量を必要としたが、本発明によれば居室と同等の換気量でよいことになる。
【００２５】
（ウ）請求項２〜５の発明によれば、
本発明の解剖台に使用する空気浄化装置が、ホルムアルデヒドやエタノール等の水溶性ガスを透過させる膜で形成された細管を水槽中に多数挿通して構成された請求項２に記載の溶解捕集型空気浄化装置、又は上下及び前後の面が網状で左右の面が板状の素材で構成された立方体又は直方体の容器内に気液接触用の充填材を充填し、前記容器の前方からホルムアルデヒドその他の有害なガスを含む空気を流入させるとともに、容器の上方に配設した広角ノズルから水を霧状に噴出させ、前記容器内に充填された気液接触用の充填材間の隙間で前記有害な気体を含む汚染空気と水とを接触させるように構成した請求項４に記載の水噴霧方式空気浄化装置、下方が連通するようにして設けた水槽仕切り板で曝気槽と排水槽の大小２つの部分に分割され、前記曝気槽の底部に配設された散気装置にホルムアルデヒドその他の有害な気体を含む汚染空気を流入し、前記散気装置の散気孔から水槽内に泡として噴出させるように構成した請求項５に記載の曝気方式空気浄化装置であり、そのいずれもがホルムアルデヒドその他の有害な気体を含む汚染空気と水とを間接的、又は直接接触させることによってホルムアルデヒドその他の有害な気体を水に溶解・捕集させ、ホルムアルデヒドその他の有害な気体を捕集した水を解剖室外に排出するものであり、水を連続して交換することによって前記空気浄化装置のホルムアルデヒドその他の有害な気体の捕集効率を低下させることなく、また従来の吸着剤を使用した空気浄化装置にあった吸着剤の交換や産業廃棄物としての処理という手間もなくなりコスト低減も図れる。
（エ）上記（ウ）の効果に加えて、本発明で使用する空気浄化装置のいずれもが、ホルムアルデヒドその他の有害な気体の処理が水への溶解という化学分解を伴わない手段で行われるので、従来ホルムアルデヒドその他の有害な気体の化学分解処理によって発生していた有害な中間生成物が皆無になる。
【００２６】
（オ）請求項６〜８の発明によれば、
被剖検体が発するホルムアルデヒドその他の有害な気体を含む汚染空気を、被剖検体の側近に所在する作業台縁枠の内側に向かって開口された一つ又は複数のスリットや複数個の穴からなる吸気口から吸引し、かつ前記ホルムアルデヒドその他の有害な気体を含む汚染空気を縁枠内を通して空気浄化装置に導くので、剖検者（実習者）がホルムアルデヒドに晒されるおそれがなく、安全な解剖実習が可能になる。
【００２７】
（カ）請求項９の発明によれば、
前記枠体が着脱可能に構成されているので、作業台内部の清掃が容易である。
【００２８】
（キ）請求項１０、１１の発明によれば、
前記ホルムアルデヒドその他の有害な気体を含む汚染空気を前記空気浄化装置に導く前記縁枠の内側に形成されるダクトが、外壁、上壁及び上壁から解剖台の内側下方に向けて垂設された垂下壁から構成される前記縁枠の外壁と垂下壁との間に、前記天板の周辺部を上方に起立させて設けられた起立板を、前記縁枠の上壁面に到達せずかつ垂下壁の下端よりも高い位置まで立設されて形成されているので、吸気口付近の通気路の断面積が小さくなり天板上に発生したホルムアルデヒドその他の有害な気体を含む汚染空気が効率よく吸引できる。
また、天板の周辺部を上方に起立させて起立板を設けているので、解剖によって天板上に滲出する体液や解剖時に使用するエタノール等が作業台内部へ侵入したり、天板洗浄時の汚水が作業台内部へ侵入したりするのを防止できる。また天板上に置いたペンやメスなどが作業台内部へ落下するのも防止できる。
さらには、前記天板の周辺部を上方に起立させて設けられた起立板の一部が、複数個所においてさらに上方に延伸され、前記縁枠の上壁の内側に当接して前記縁枠の上壁を支持する縁枠支持部としているので、前記縁枠の上壁に手をついたり物を置いたりして加わる圧力によって縁枠が変形するのも防止できる。
【００２９】
（ク）請求項１２、１３の発明によれば、
被剖検体を載置する天板が、一方の短辺寄りの中央部分に汚水排出口を備え、かつ前記汚水排出口に向けて周囲から下り勾配となるように形成されているので、前記汚水排出口に汚水排出パイプを接続することにより、天板上に滲出した体液や洗浄水などの汚水を汚水タンクに容易に排出できる。
また前記天板の排水口に近い側の作業台縁枠短辺が架台に軸着され、排水口から遠い側の縁枠外側に固着された取っ手を持ち上げることによって前記天板が傾けられるので清掃時の洗浄水等を下り勾配の小さい天板の部分からも効率よく排出することができる。
【００３０】
（ケ）請求項１４の発明によれば、
前記天板が、作業台底板の複数箇所に立設された天板支持体に当接・載置されているので、天板の着脱が可能で天板下の作業台内部の点検や清掃が容易にできる。
【００３１】
（コ）請求項１５〜１７の発明によれば、
作業台の下に剖検者の脚部が入るスペースが確保され、また剖検者の身長に合わせて作業台の高さが調整できるので、長時間の作業も疲労なく実施できる。
【００３２】
（サ）請求項１７の発明によれば、
前記空気浄化装置が、解剖台の架台内に配設され、かつ架台の底面に複数のキャスターを備えているので、前記空気浄化装置の給排水設備が整ったところであれば容易に移動して使用できる。
【発明を実施するための最良の形態】
【００３３】
本発明を実施するための最良の形態を、実施例の図に基づいて順次説明する。
最初に本発明の解剖台の概要を、図１の外観斜視図によって示す。
図において１は作業台、２は架台、１１は天板、１２は縁枠、１３は吸気口、１３’はスリット状の吸気口、１３”は複数個の穴からなる吸気口、１４は汚水排出口、１５は取っ手、１９は高さ調整手段、２３は浄化空気吹き出し口、２７はキャスター、２８は固定ピン、２９は高さ調整用ピン穴である。
本発明の解剖台は、図１に示すように、天板１１上に載置した被剖検体（図示せず）が発するホルムアルデヒドその他の有害な気体を含んだ汚染空気を、吸引・除去するための吸気口１３’、１３”を備えた縁枠１２を有する作業台１と、前記作業台１を載置・支持する箱形の架台２と、前記架台２内に配設され、前記作業台１の吸気口１３からホルムアルデヒドその他の有害な気体を含む汚染空気を吸引するための吸気用送風機（後述）と、前記送風機によって吸引された空気に含まれたホルムアルデヒドその他の有害な気体を水に溶け込ませて捕集する１個又は複数個の空気浄化装置（後述）とを備えている。そして、架台の側面下部には、ホルムアルデヒドその他の有害な気体が除去された浄化空気が吹き出される浄化空気吹き出し口２３が設けられている。
また架台２の底面には複数のキャスター２７が備えられ、移動が容易な構造となっている。
さらに、前記キャスター２７の水平脚部と作業台底板１７（図９参照）との間に前記作業台１の高さを調整する高さ調整手段１９が立設されている。
【００３４】
本発明の解剖台では、天板１１に載置した被剖検体（図示せず）が発するホルムアルデヒドその他の有害な気体を含む汚染空気を、後述の吸気用送風機を運転することによって、被剖検体の周囲に位置する前記作業台１の縁枠１２の両長辺部の内側に向かって開口されたスリット状の吸気口１３’、及び短辺部の内側に向かって開口した穴でなる吸気口１３”から吸引し、ホルムアルデヒドその他の有害な気体を含む汚染空気の解剖室内への拡散を防止するとともに、前記吸気口１３’、１３”から前記作業台１の縁枠１２内に吸引されたホルムアルデヒドその他の有害な気体を含む汚染空気を、縁枠１２内を通して架台２内に配設された空気浄化装置（後述）に導き、前記空気浄化装置においてホルムアルデヒドその他の有害な気体を含む汚染空気と水とを間接的に又は直接接触させることによって、ホルムアルデヒドその他の有害な気体を水に溶解・捕集させ、ホルムアルデヒドその他の有害な気体を捕集した水を解剖室外に排出し、ホルムアルデヒドその他の有害な気体が除かれた浄化空気を解剖室内に還流している。
【００３５】
本発明の解剖台に使用される空気浄化装置としては、膜ユニット方式の溶解捕集型空気浄化装置、水噴霧方式の溶解捕集型空気浄化装置、及び曝気方式の溶解捕集型空気浄化装置があり、これらそれぞれの構造及び作用、並びにこれら３種の空気浄化装置を使用した解剖台３、解剖台４、解剖台５を、それぞれ「実施例１」、「実施例２」、「実施例３」として、図２〜図７に基づいて説明する。
【実施例１】
【００３６】
図２に本実施例の解剖台に使用する膜ユニット方式の溶解捕集型空気浄化装置の説明図を、図３に膜ユニット方式の溶解捕集型空気浄化装置を使用した解剖台の構造説明図を示す。
図において６は送風機、２２はフレキシブルダクト、２４は汚染空気誘導路、２５はフィルター、２６は仕切り壁、３０、３０Ａ〜３０Ｆは膜ユニット方式の溶解捕集型空気浄化装置、３１は水槽、３２は細管、３３は給水口、３４は排水口、３５は給水タンク、３６は排水タンク、３７はフロートスイッチ、３８、３８’はドレーンパン、３９はドレーン排水口、３００、３００’は膜ユニット方式の溶解捕集型空気浄化装置複数台を連結した一連の空気浄化装置（以下一連の空気浄化装置と記す）である。また、図３には１１ａ起立板、１７作業台底板、１８天板支持体、２１架台上面板、を記載しているが、これらは作業台１に関するものであるので、後述する作業台１の説明の中で詳述する。
【００３７】
本実施例の解剖台に使用する膜ユニット方式の溶解捕集型空気浄化装置３０は、図２に示すように、水槽３１内にホルムアルデヒド、エタノール等の水溶性ガスを透過させる多孔質のチューブラ膜で構成された多数の細管３２が挿通され、かつ前記水槽３１には給水口３３及び排水口３４が備えられており、前記多数の細管３２内にホルムアルデヒドその他の有害な気体を含む汚染空気を流入し、該細管３２の多孔質膜を介して前記ホルムアルデヒドその他の有害な気体を水槽３１内の水に溶解・捕集させてホルムアルデヒドその他の有害な気体が除去された浄化空気を浄化空気吹き出し口２３から得るものである。そして前記水槽３１の給水口３３から常に新鮮な水を給水するとともに、ホルムアルデヒドその他の有害な気体を捕集した水を排水口３４から水槽３１外に排出することによって、水槽３１内の水にホルムアルデヒドその他の有害な気体が溶解・捕集され飽和状態になることを防止し、捕集効果が低下しない空気浄化装置としている。
【００３８】
前記膜ユニット方式の溶解捕集型空気浄化装置３０を使用した解剖台の実施例を図３に示す。なお図３では前記膜ユニット方式の溶解捕集型空気浄化装置３０を６基使用した例を示したが、その使用基数は６に限られるものでなく、発生するホルムアルデヒドその他の有害な気体の濃度や、使用場所の空調条件等の環境要件を勘案し、かつ、架台内に収納可能な基数内で任意に選択することができるものである。
【００３９】
図３に示す実施例では、架台２の底部２個所に膜ユニット方式の溶解捕集型空気浄化装置３０の外壁面に結露した結露水を集めるドレーンパン３８、３８’が配置され、該ドレーンパン３８の上には膜ユニット方式の溶解捕集型空気浄化装置３０Ａ、３０Ｂ、３０Ｃの３基が、またドレーンパン３８’の上には膜ユニット方式の溶解捕集型空気浄化装置３０Ｄ、３０Ｅ、３０Ｆの３基が、それぞれの細管３２が連通するように密着して組み立てられ一連の空気浄化装置３００、３００’として構成されている。そして架台２内の２箇所に配置されたこれら２つの一連の空気浄化装置３００と３００’との間に、前記作業台１の縁枠１２に設けた吸気口１３から天板１１上に発生するホルムアルデヒドその他の有害な気体を含む汚染空気を吸引して一連の空気浄化装置３００、３００’に導く吸気用送風機６が設けられている。
【００４０】
また、前記一連の空気浄化装置３００、３００’を構成する３基の膜ユニット方式の溶解捕集型空気浄化装置３０Ａ、３０Ｂ、３０Ｃ、及び３０Ｄ、３０Ｅ、３０Ｆの水槽３１には給水管によってホルムアルデヒドその他の有害な気体を含む汚染空気流の下流に置かれた膜ユニット方式の溶解捕集型空気浄化装置３０Ｃ及び３０Ｆから順次上流に向かって水が流れ（図３の給水ラインの矢印参照）、空気流の上流に置かれた膜ユニット方式の溶解捕集型空気浄化装置３０Ａ、及び３０Ｄから排水されるように直列に繋がれている。これは空気中のホルムアルデヒドその他の有害な気体の濃度と水に捕集されたホルムアルデヒドその他の有害な気体の濃度との差を各膜ユニット方式の溶解捕集型空気浄化装置３０Ａ、３０Ｂ、３０Ｃ、３０Ｄ、３０Ｅ、３０Ｆにおいていずれも最大となし、ホルムアルデヒドその他の有害な気体の水への溶解・捕集をより効果的に行うためである。
なお、給排水を安定して行うため、解剖台の給水口３３と膜ユニット方式の溶解捕集型空気浄化装置３０Ｃ及び３０Ｆとの間にフロートスイッチ３７を備えた給水タンク３５を、膜ユニット方式の溶解捕集型空気浄化装置３０Ａ及び３０Ｄと解剖台の排水口３４との間に溢水型の排水タンク３６を設けることが好ましい。
【００４１】
作業台１の天板１１上に載置された被剖検体（図示せず）から発生したホルムアルデヒドその他の有害な気体を含む汚染空気は、吸気用送風機６の運転によって、被剖検体の周囲に位置する前記作業台１の縁枠１２の吸気口１３’、１３”に吸引され、縁枠１２内を通り、作業台底板との架台２の上面板２１に穿設された通風口間を結合するフレキシブルダクト２２内の汚染空気誘導路２４を経て架台２内に配置された一連の空気浄化装置３００に導かれる。そして前記一連の空気浄化装置３００を構成する膜ユニット方式の溶解捕集型空気浄化装置３０Ａ、３０Ｂ、３０Ｃの多数の細管３２に送り込まれる。この際空気流のすべてが細管３２に送り込まれるよう、架台２の内部は膜ユニット方式の溶解捕集型空気浄化装置３０Ａの開口面を除いて仕切り壁２６で塞がれている必要がある。
細管３２内に送り込まれたホルムアルデヒドその他の有害な気体を含んだ汚染空気は、細管３２の多孔質の膜を介して順次ホルムアルデヒドその他の有害な気体を水槽３１中を流れる水に溶解・捕集させ順次その濃度を低下させていく。
さらに前記一連の空気浄化装置３００を通過してホルムアルデヒドその他の有害な気体の濃度が低下した空気を、もう一つの一連の空気浄化装置３００’に導き、前記一連の空気浄化装置３００と同様な機構と作用とで空気中のホルムアルデヒドその他の有害な気体の濃度をより低下させ、清浄空気として浄化空気吹き出し口２３から解剖室内に還流させている。
上記空気の流れについては図３の空気流を示す矢印を参照されたい。
なお、図３では一連の空気浄化装置３００、３００’を３基の膜ユニット方式の溶解捕集型空気浄化装置３０で構成したが、ホルムアルデヒドその他の有害な気体の濃度の高い空気流の上流に位置する一連の空気浄化装置３００を２基の膜ユニット方式の溶解捕集型空気浄化装置３０で、ホルムアルデヒドその他の有害な気体の濃度の低下した空気流の下流に位置する一連の空気浄化装置３００’を４基の膜ユニット方式の溶解捕集型空気浄化装置３０で構成してもよく、また、図３では一連の空気浄化装置を２組としたが、１組又は３組としてもよく、さらに膜ユニット方式の溶解捕集型空気浄化装置３０Ａ〜３０Ｆ単体ごとに給排水することであってもよい。要は空気中に含まれたホルムアルデヒドその他の有害な気体をより少ない水量で捕集できるかであって、捕集効果が高くより経済的な組み合わせの採用が好ましい。
前記一連の空気浄化装置３００、３００’の外壁に結露した結露水は、一連の空気浄化装置３００、３００’の下に備えられたドレーンパン３８、３８’に集められ、ドレーン排水口３９から解剖台外に排出される。
【実施例２】
【００４２】
図４に本実施例の解剖台に使用する水噴霧方式の溶解捕集型空気浄化装置の説明図を、図５に水噴霧方式の溶解捕集型空気浄化装置を使用した解剖台の構造説明図を示す。
図において４０は水噴霧方式の溶解捕集型空気浄化装置、４１、４１Ａ〜４１Ｄは容器、４２は気液接触用の充填材、４３は給水ポンプ、４４は給水管、４５は広角ノズル、４６は水受け、４７は給水口、４８は排水口、４００は一体化された空気浄化装置で、他の符号は図１及び図３に準ずる。
【００４３】
本実施例の解剖台に使用する水噴霧方式の溶解捕集型空気浄化装置４０は、図４に示すように、上下及び前後の面が網状の素材で、左右の面が板状の素材で構成された立方体又は直方体の容器４１と、該容器内に充填された気液接触用の充填材４２と、前記容器４１の上方に配設され前記容器４１の上面に水を霧状に噴射させる広角ノズル４５と、前記広角ノズル４５に給水するための給水管４４と、前記容器４１の下方に設けられた水受け４６と、水受け４６に蓄積された水を排出するための排水口を備えてなり、前記容器の前方からホルムアルデヒドその他の有害な気体を含む汚染空気を流入させるとともに、容器４１の上方に配設した広角ノズル４５から水を霧状に噴出させ、前記容器４１内に充填された気液接触用の充填材４２間の隙間で前記ホルムアルデヒドその他の有害気体を含む空気と水とを接触させて前記ホルムアルデヒドその他の有害な気体を水に捕集させ、前記ホルムアルデヒドその他の有害な気体が捕集された水を容器４１の下方に設けた水受け４６で集めて解剖室外に排出し、ホルムアルデヒドその他の有害な気体が除去された浄化空気を解剖室内に還流可能にしたものである。
【００４４】
前記水噴霧方式の溶解捕集型空気浄化装置４０を使用した解剖台の実施例を図５に示す。なお、図５では前記水噴霧方式の溶解捕集型空気浄化装置４０を４基使用した例を示したが、その使用基数は４に限られるものでなく、発生するホルムアルデヒドその他の有害な気体の濃度や、使用場所の空調条件等の環境要件を勘案し、かつ、架台内に収納可能な基数内で任意に選択できるものである。
【００４５】
図５に示す実施例では、架台２の底部に一つの水受け４６が配置され、該水受け４６の上には気液接触用の充填材４２を充填した容器４１Ａ、４１Ｂ、４１Ｃ、４１Ｄが前後の網状の素材で作られた面を密着させて配設され、さらに各容器４１Ａ、４１Ｂ、４１Ｃ、４１Ｄそれぞれの上部には、給水ポンプ４３から給水管４４を介して供給される水を前記容器４１Ａ、４１Ｂ、４１Ｃ、４１Ｄの上面に霧状に噴出する広角ノズル４５が備えられて、一体化された空気浄化装置４００を構成している。そしてこの一体化された空気浄化装置４００と架台２の浄化空気吹き出し口２３との間に、前記作業台１の縁枠１２に設けた吸気口１３から天板１１上に発生するホルムアルデヒドその他の有害な気体を含む汚染空気を吸引して一体化された空気浄化装置４００に導く吸気用送風機６が設けられている。
【００４６】
作業台１の天板１１上に載置された被剖検体（図示せず）から発生したホルムアルデヒドその他の有害な気体を含む汚染空気は、吸気用送風機６の運転によって、被剖検体の周囲に位置する前記作業台１の縁枠１２の吸気口１３’、１３”に吸引され、縁枠１２内を通り、作業台底板との架台２の上面板２１に穿設された通風口間を結合するフレキシブルダクト２２内の汚染空気誘導路２４を経て架台２内に配置された一体化された空気浄化装置４００に導かれる。そして前記一体化された空気浄化装置４００を構成する前記容器４１Ａ、４１Ｂ、４１Ｃ、４１Ｄに充填された気液接触用の充填材４２間の隙間に送り込まれる。この際空気流のすべてが気液接触用の充填材４２の間に送り込まれるよう、架台２の内部は、前記容器４１の網状素材でなる前面を除いて仕切り壁２６で塞がれている必要がある。
気液接触用の充填材４２の間の隙間に送り込まれたホルムアルデヒドその他の有害な気体を含んだ汚染空気は、前記気液接触用の充填材４２の間の隙間で、容器４１の上面に霧状に噴射された水と接触してホルムアルデヒドその他の有害な気体を前記水に溶解・捕集させてその濃度を順次低下させながら４個の容器４１Ａ、４１Ｂ、４１Ｃ、４１Ｄを通過し、ホルムアルデヒドその他の有害な気体が除去された浄化空気として、架台２の浄化空気吹き出し口２３から解剖室に還流される。
上記空気の流れについては、図５の空気流を示す矢印を参照されたい。
【００４７】
また、容器４１Ａ、４１Ｂ、４１Ｃ、４１Ｄの網状素材でなる上面に、給水ポンプ４３から給水管４４を介して供給され、給水管４４先端の広角ノズルから霧状に噴射された水は、容器４１に充填された気液接触用の充填材４２間の隙間でホルムアルデヒドその他の有害な気体を含む汚染空気と接触し、前記ホルムアルデヒドその他の有害な気体を溶解・捕集し、容器４１Ａ、４１Ｂ、４１Ｃ、４１Ｄの網状素材でなる下面から水受け４６内に滴下して集められ、排水口４８から解剖台外に排出される。なお、架台２に給水口４７が備えられていることはいうまでもない。
【実施例３】
【００４８】
図６に本実施例の解剖台に使用する曝気方式の溶解捕集型空気浄化装置の説明図を、図７に曝気方式の溶解捕集型空気浄化装置を使用した解剖台の構造説明図を示す。
図において５０、５０Ａ〜５０Ｂは曝気方式の溶解捕集型空気浄化装置、５１は水槽、５１ａは曝気槽，５１ｂは排水槽、５１ｃは水槽仕切り板、５２は散気装置、５２ａは散気孔、５３はダクト、５４は浄化空気送出口、５５は給水管、５６は給水口、５７は排水口であり、他の符号は図１及び図３に準ずる。                                         
【００４９】
本実施例の解剖台に使用する曝気方式の溶解捕集型空気浄化装置５０は、下方が連通するようにして設けた水槽仕切り板５１ｃで曝気槽５１ａと排水槽５１ｂの大小２つの部分に分割され、かつ前記曝気槽５１ａには上面に水槽内に給水する給水口が、側面上部には浄化された浄化空気を放出する排出口５４が、そして排水槽５１ｂの側面には排水口が備えられた有蓋水槽５１と、該曝気槽５１ａの底部に配設された散気装置５２とを備え、前記吸気用送風機６によって前記散気装置５１ａにホルムアルデヒドその他の有害な気体を含む汚染空気を流入し、前記散気装置５２の散気孔５２ａから水槽５１内に泡として噴出させることによってホルムアルデヒドその他の有害な気体を曝気槽５１ａ内に注入される水に溶解・捕集させ、前記ホルムアルデヒドその他の有害な気体が捕集された水を排水槽５１ｂの排水口から溢水させて解剖室外に排出し、ホルムアルデヒドその他の有害な気体が除去された浄化空気を解剖室内に還流可能にしたものである。
【００５０】
前記曝気方式の溶解捕集型空気浄化装置５０を使用した解剖台の実施例を図７に示す。なお、図７では前記曝気方式の溶解捕集型空気浄化装置４０を２基直列に接続して使用した例を示したが、その使用基数は２に限られるものでなく、発生するホルムアルデヒドその他の有害な気体の濃度や、使用場所の空調条件等の環境条件を勘案し、かつ、架台内に収納可能な基数内で任意に選択できるものである。
【００５１】
図７に示す実施例は、前述したとおり架台２内部に前記曝気方式の溶解捕集型空気浄化装置５０Ａ、５０Ｂの２基を直列に接続して配置したものであり、作業台１の天板１１上に載置された被剖検体（図示せず）から発生したホルムアルデヒドその他の有害な気体を含む汚染空気は、吸気用送風機６の運転によって、被剖検体の周囲に位置する前記作業台１の縁枠１２の吸気口１３’、１３”に吸引され、縁枠１２内を通り、作業台底板との架台２の上面板２１に穿設された通風口間を結合するフレキシブルダクト２２内の汚染空気誘導路２４を経て架台２内に配置された第１の曝気方式の溶解捕集型空気浄化装置５０Ａに導かれる。
前記吸引用送風機６が吸引し第１の曝気方式の溶解捕集型空気浄化装置５０Ａに導かれたホルムアルデヒドその他の有害な気体を含む汚染空気は、ダクト５３を介して曝気槽５１ａの底部に配設された散気装置５２に送り込まれ、前記散気装置５２に設けられた多数の散気孔５２ａから曝気槽５１ａに注入された水の中に細かな泡として吹き出して、汚染空気に含まれていたホルムアルデヒドその他の有害な気体を水に溶解・捕集させ、ホルムアルデヒドその他の有害な気体の濃度の低減した空気を浄化空気送出口から送出させる。そしてホルムアルデヒドその他の有害な気体の濃度の低減した空気は、第２の曝気方式の溶解捕集型空気浄化装置５０Ｂに導かれ、第１の曝気方式の溶解捕集型空気浄化装置５０Ａと同じ作用によって残ったホルムアルデヒドその他の有害な気体を水に溶解・捕集させ、さらにホルムアルデヒドその他の有害な気体の濃度を低下させた浄化空気を浄化空気吹き出し口２３から解剖室内に還流させる。
【００５２】
また水槽５１内の水は、解剖台の給水口５６から給水管５５を介して前記曝気槽５１ａの上部に供給され、曝気槽５１ａ内でホルムアルデヒドその他の有害な気体を溶解・捕集した後、下方が連通した排水槽５１ｂの排水口から溢水して解剖台の排水口５７から解剖室外に排出される。溢水による排水は、水槽内５１の水位を常に一定に保ち、曝気によるホルムアルデヒドその他の有害な気体の水への溶解を安定して効果的に行えるようにしたものである。
【００５３】
本発明の実施例１〜３の解剖台の架台２に載置される作業台１は、いずれも同一構造のものであってよく、該作業台について図１の本発明の解剖台実施例の外観斜視図、及び図８の作業台の構造説明図に基づいて説明する。
図８において用いる符号について、前出のものも含めて記載する。すなわち、１１は天板、１１ａは起立板、１２は縁枠、１３は吸気口、１４は汚水排出口、１６はネジ、１７は作業台底板、１８は天板支持体、２２はフレキシブルダクト、２４は汚染空気誘導路、２５はフィルタである。
本発明の解剖台の作業台１は、図１に示すように、被剖検体を載置する天板１１とその周囲に着脱可能に配設された縁枠１２を備えている。
そして前記天板１１は、一方の短辺寄り中央部分に汚水排出口１４を有し、かつ前記汚水排出口１４に向けて周囲から下り勾配となるように形成され、さらに図８に示すようにその周辺部を上方に起立させて設けられた起立板１１ａの縁端の一部が複数個所において上方に延伸されて縁枠１２の内側に当接する縁枠支持部１２ａとして構成されている。
また、前記天板１１の周囲に着脱可能に配設された縁枠１２は、図１に示すように天板１１上に発生したホルムアルデヒドその他の有害な気体を含む汚染空気を吸引・除去するために内側に向かって開口したスリット状の吸気口１３’を長辺部に、また内側に向かって開口した複数個の穴からなる吸気口１３”を短辺部に備え、かつ図８に示すように、その内側を前記ホルムアルデヒドその他の有害な気体を含む汚染空気を架台２内に導くダクトとして使用できるような形状に構成されている。
すなわち、前記ダクトは、外壁、上壁及び上壁から解剖台の内側下方に向けて垂設された垂下壁から構成される前記縁枠１２の外壁と垂下壁との間に、前記天板１１の周辺部を上方に起立させて設けられた起立板１１ａを、前記縁枠１２の上壁面に到達せずかつ垂下壁の下端よりも高い位置まで立設されて形成されており、吸気口付近の通気路１３の断面積を小さくして前記ホルムアルデヒドその他の有害な気体を含む汚染空気の吸引が効果的に行えるようにしている。
なお、本実施例では縁枠１２の長辺部に一つのスリット状の吸気口１３’を、短辺部に複数個の穴からなる吸気口１３”を備えたものを示したが、吸気口１３は長辺部と短辺部がともにスリット状の吸気口１３’であってもよく、複数個の穴からなる吸気口１３”であってもよく、またスリット状の吸気口が複数個に区切られていてもよく、さらには縁枠１２の各辺にスリット状の吸気口１３’と複数個の穴からなる吸気口１３”とが混在していてもよい。すなわち、吸気口１３の形状や配置位置等は、天板１１上に載置された被剖検体が発生するホルムアルデヒドその他の有害な気体を含む汚染空気を効率よく吸引できるものであればよく、使用場所や、環境等を考慮し最適な形状・寸法・配置の吸気口１３が備えられることが好ましい。
【００５４】
上記作業台の１の天板１１及び縁枠１２の構造は、次の作用効果をもたらすべく考慮されたものである。
すなわち、天板１１の汚水排出口１４と、前記汚水排出口１４に向かって周辺からの下り勾配は、解剖中に被剖検体から滲出する体液や、検体の乾燥を防止するために解剖時に使用するエタノール等の液体を天板１１上に貯留させることなく解剖台外へ排出し、あるいは解剖終了後天板１１を洗浄するときの汚水の排出を容易かつ迅速に行えるようにしたものであり、天板１１の周辺部を上方に起立させたのは、前記解剖時に天板上に滲出する体液や天板１１洗浄時の汚水などが天板１１の端部から作業台１の天板１１の下に溢れ出るのを防止するためばかりでなく、天板１１上に置いたメスやペン等の小物が天板１１の端部から天板１１の下に落下するのを防止するためでもある。
【００５５】
また、前記縁枠１２が、内側に向かった面に吸気口１３’、１３”を設けるのは、ホルムアルデヒドその他の有害な気体を含む汚染空気を、それが発生する被剖検体の近くで有効に吸引できること、及び縁枠１２の上面に吸気口１３’、１３”を設けることによって生じるデメリット、すなわち、解剖実習の際に解剖台を囲む実習生の手やノートなどが上面の吸気口を塞ぎ、空気浄化効果を損ねるというおそれを防止するためでもある。
さらに縁枠１２を着脱可能としたのは、天板１１の下方の空間、及びホルムアルデヒドその他の有害な気体を含む汚染空気を架台２内に導くダクトとして使用する前記縁枠１２の内部の清掃を容易にするためである。
【００５６】
さらにまた、前記作天板１１を図８に示すように作業台底板１７の複数個所に立設された天板支持体１８上に載置し、前記天板１１の周囲に前記縁枠１２を配設し、前記縁枠１２の下面縁端部を作業台底板１７にネジ１６で固定している。そしてこの際縁枠１２の上面は、その内側に当接する前記天板１１の周辺部を上方に起立させて設けられた起立板１１ａの複数個所において上方に延伸された縁端の一部によって補強され、上部からの圧力によって変形等が起こらないよう考慮されている。
【００５７】
本発明の解剖台は、作業台１の底板１７が架台２の上面板２１より大きく作られているので、前記作業台１を架台２上に載置したとき前記作業台１の周辺部の下部に剖検者の脚部の入るスペースが確保され、また前記キャスター２７の水平脚部と作業台底板１７との間に立設された後述の高さ調整手段１９によって作業台１の高さを剖検者の身長に合わせて調整できるので、作業性に優れた長時間の作業によっても疲労の少ない解剖台が実現できる。
【００５８】
本実施例では図９に示すように、作業台１の高さを剖検者の身長に合わせて調整する高さ調整手段１９を、前記キャスター２７の水平脚部に立設された４本の長尺の円筒棒状体１９ａの内側に作業台１の底板１７の四隅付近に垂設された長尺の円筒棒状体１９ｂを摺動可能に挿入し、前記キャスター２７に立設された長尺の円筒棒状体１９ａの側面に穿設された複数の高さ調節用ピン穴２９のいずれかと、前記作業台底板１７に垂設された長尺の円筒棒状体１９ｂに１個穿設されたピン穴（図示せず）とを合わせた後にその高さ調整用ピン穴２９に固定ピン２８を挿入して固定することによって高さを段階的に変化させる方法がとられている。
しかし、これは高さ調整手段１９の一実施例を示したに過ぎず、油圧や電動等による他の高さ調整手段を排除するものではなく、また高さ調整手段１９の設置位置もキャスター２７と作業台底板１７との間に限られるものでもない。作業性と経済性とを勘案して選択されるのが好ましい。
【００５９】
前記高さ調整手段１９によって作業台１と架台２の間隔が変化するのに伴って、作業台１の吸気口１３から吸引されたホルムアルデヒドその他の有害な気体を含む汚染空気を架台２内に配設さた空気浄化装置に導く作業台１と架台２間の汚染空気誘導路２４の長さも変化するので、該汚染空気誘導路２４をフレキシブルダクトで２２で構成してその変化に対応している。
なお、前記汚染空気誘導路２４に、着脱可能なゴミ除去用の粗めのフィルター２５を設けておくことも好ましい。
【００６０】
本発明の解剖台は、上述のように空気浄化装置への給排水設備を除いて、ホルムアルデヒドその他の有害な気体を溶解・捕集するのに必要な機能が解剖台にコンパクトに収納され、さらに図１に示すように、架台２の底面に複数のキャスター２７を備えているので、給排水設備が整った場所であれば容易に設置でき、また移動も可能である。
【産業上の利用可能性】
【００６１】
本発明の解剖台の被剖検体近傍の空気を被剖検体を載置した天板の縁枠に設けたスリット状の吸気口から吸気用送風機によって吸引し、吸引した空気の中に含まれるホルムアルデヒドその他の有害な気体を溶解捕集型空気浄化装置を介して水に捕集させるという構造、機能は、解剖台に限らず水溶性の有害な気体や強い臭気を発生する物体を載置する、例えば動物の標本作成作業台などにも利用可能である。
【図面の簡単な説明】
【００６２】
【図１】本発明の解剖台実施例の外観斜視図
【図２】膜ユニット方式の溶解捕集型空気浄化装置の説明図
【図３】膜ユニット方式の溶解捕集型空気浄化装置を使用した解剖台の構造説明図
【図４】水噴霧方式の溶解捕集型空気浄化装置の説明図
【図５】水噴霧方式の溶解捕集型空気浄化装置を使用した解剖台の構造説明図
【図６】曝気方式の溶解捕集型空気浄化装置の説明図
【図７】曝気方式の溶解捕集型空気浄化装置を使用した解剖台の構造説明図
【図８】作業台の構造説明図
【図９】高さ調整手段によって作業台を満ち上げた場合の正面（一部断面）図及び側面図
【符号の説明】
【００６３】
１：作業台
２：架台
３：膜ユニット方式の溶解捕集型空気浄化装置を使用した解剖台
４：水噴霧方式の溶解捕集型空気浄化装置を使用した解剖台
５：曝気方式の溶解捕集型空気浄化装置を使用した解剖台
６：吸気用送風機
１１：天板
１１ａ：起立板
１２：縁枠
１２ａ：縁枠支持部
１３：吸気口
１３’：スリット状の吸気口
１３”：複数個の穴からなる吸気口
１４：汚水排出口
１５：取っ手
１６：ネジ
１７：作業台底板
１８：天板支持体
１９：高さ調整手段
２１：架台上面板
２２：フレキシブルダクト
２３：浄化空気吹き出し口
２４：汚染空気誘導路
２５；フィルタ
２６：仕切り壁
２７：キャスター
２８：固定ピン
２９：高さ調整用ピン穴
３０、３０Ａ、３０Ｂ、３０Ｃ、３０Ｃ、３０Ｄ、３０Ｅ、３０Ｆ：膜ユニット方式の溶解捕集型空気浄化装置
３１：水槽
３２：細管
３３：給水口
３４：排水口
３５：給水タンク
３６：排水タンク
３７：フロートスイッチ
３８：ドレーンパン
３９：ドレーン排水口
４０：水噴霧方式の空気浄化装置
４１、４１Ａ、４１Ｂ、４１Ｃ、４１Ｄ：容器
４２：気液接触用の充填材
４３：給水ポンプ
４４：給水管
４５：広角ノズル
４６：水受け
４７：給水口
４８排水口
５０、５０Ａ、５０Ｂ：曝気方式の空気浄化装置
５１：水槽
５１ａ：曝気槽
５１ｂ：排水槽
５１ｃ：水槽仕切り板
５２：散気装置
５２ａ：散気孔
５３：ダクト
５４：浄化空気送出口
５５：給水管
５６：給水口
５７：排水口
３００、３００’：一連の空気浄化装置
４００：一体化された空気浄化装置
【図１】
2007244762.tif 000003
【図２】
2007244762.tif 000004
【図３】
2007244762.tif 000005
【図４】
2007244762.tif 000006
【図５】
2007244762.tif 000007
【図６】
2007244762.tif 000008
【図７】
2007244762.tif 000009
【図８】
2007244762.tif 000010
【図９】
2007244762.tif 000011